(57)【要約】【課題】表示画面を視認可能な状態において、家具としての作業面の広さを確保する。【解決手段】家具としてのディスプレイ内臓型机において、家具本体である机は、表示ユニット着脱部（２８）に収容された表示ユニット（３）に対して光を照射する机内照明ユニット（４）を備えている。【選択図】図４
2014050548.tif 000002
【特許請求の範囲】
【請求項１】
家具本体に対して着脱可能な表示ユニットを、その表示画面が視認可能な状態で収納できる収納部が設けられた家具であって、
上記表示ユニットは、半透過型または反射型の表示モジュールを備え、
上記家具本体は、上記収納部に収容された表示ユニットに対して光を照射する照射ユニットを備えたことを特徴とする家具。
【請求項２】
上記収納部には、上記照射ユニットの照射位置まで上記表示ユニットを案内するガイド部材が設けられていることを特徴とする請求項１に記載の家具。
【請求項３】
上記照射ユニットは、エッジライト型のバックライトユニットであることを特徴とする請求項１または２に記載の家具。
【請求項４】
上記照射ユニットは、直下型のバックライトユニットであることを特徴とする請求項１または２に記載の家具。
【請求項５】
上記表示ユニットは、反射型の表示モジュールを備え、
上記照射ユニットは、フロントライトユニットであることを特徴とする請求項１または２に記載の家具。
【請求項６】
上記照射ユニットは、上記表示ユニットが上記収納部に収容されていない状態でも光を出射するようになっていることを特徴とする請求項１〜５の何れか１項に記載の家具。
【請求項７】
上記家具本体は、物体を載置可能な載置部を有し、
上記照射ユニットは、
ＬＥＤ光源と、
上記載置部に配置された導光板と、
上記ＬＥＤ光源及び上記導光板の間を接続する光ファイバと、を備え、
上記ＬＥＤ光源は、上記載置部以外の部分に配置されていることを特徴とする請求項１〜６の何れか１項に記載の家具。
【請求項８】
ブックシェルフまたは棚であることを特徴とする請求項１〜７の何れか１項に記載の家具。
【発明の詳細な説明】
【技術分野】
【０００１】
本発明は、表示ユニットを装着するための家具（テーブル、机、ブックシェルフ等）に関するものである。
【背景技術】
【０００２】
近年では、ＬＣＤ（液晶ディスプレイ：Liquid Crystal Display）、ＰＤＰ（プラズマディスプレイ:Plasma Display Panel）、または有機ＥＬ（Organic LED）などに代表される、薄型のＦＰＤ（フラットパネルディスプレイ：Flat Panel Display）が多くの目的に利用されている。
【０００３】
特許文献１では、薄型平面ディスプレイの表示面を、机の上部表面とほぼ同一平面となるように装備した事務机が開示されている。
【０００４】
特許文献２では、平面型のディスプレイとタブレットとを兼用する表示部が、机上テーブルと兼用された入出力装置が開示されている。
【０００５】
特許文献３では、ボード状の収納体にパソコン本体、液晶ディスプレイ、キーボード、などを収納し、ディスプレイの収納部に開閉可能なカバーを設けて、ディスプレイを起立させることが可能なボード型パソコンが開示されている。
【先行技術文献】
【特許文献】
【０００６】
【特許文献１】特開昭６１−１３５６０５号公報（１９８６年  ６月２３日公開）
【特許文献２】特開２０００−６６７６８号公報（２０００年  ３月  ３日公開）
【特許文献３】特開２００１−５１７５１号公報（２００１年  ２月２３日公開）
【発明の概要】
【発明が解決しようとする課題】
【０００７】
しかしながら、上記従来の構成では、表示装置を備えたテーブル（または机）を、ユーザがテーブル（または机）として利用するときに、ディスプレイを同時に利用したい場合に、自由度が低く、作業面が狭くなるなどの不便が生じるという問題がある。
【０００８】
具体的には、特許文献１に記載の事務机のユーザは、通常の机を使用する場合と同様に、椅子に座り脚部を机の下に入れた自然な姿勢のまま、表示面を使用することができるが、紙媒体の資料や文具などを同時に利用する場合には、表示面が隠れてしまう問題がある。
【０００９】
また、特許文献２の入出力装置では、ディスプレイ表示の切り替えや画面の保存のときに、ディスプレイ面とは別のスイッチの操作を要求するため、台として利用するためには配置制限があり、利便性に問題がある。
【００１０】
また、特許文献３のボード型パソコンでは、ディスプレイを利用するときに開口部が大きく開くため、家具として利用できる作業面が狭くなる問題がある。
【００１１】
本発明は、上記の問題点を解決するためになされたもので、その目的は、表示画面を視認可能な状態において、家具としての作業面の広さを確保することができる、または表示装置を設けるためのスペースを節約することができる、表示装置を備えた家具（テーブル、机、ブックシェルフ等）を提供することである。
【課題を解決するための手段】
【００１２】
上記の課題を解決するために、本発明の一態様に係る家具は、家具本体に対して着脱可能な表示ユニットを、その表示画面が視認可能な状態で収納できる収納部が設けられた家具であって、上記表示ユニットは、半透過型または反射型の表示モジュールを備え、上記家具本体は、上記収納部に収容された表示ユニットに対して光を照射する照射ユニットを備えたことを特徴としている。
【発明の効果】
【００１３】
本発明の一態様によれば、表示ユニットの表示画面をユーザが視認可能な位置に当該表示ユニットを配置することができ、家具としての作業面の広さを確保することができる、または表示装置を設けるためのスペースを節約することができる、という効果を奏する。
【図面の簡単な説明】
【００１４】
【図１】実施の形態１のディスプレイ内蔵型机において、家具本体である机から表示ユニットを取り出した状態を示す斜視図である。
【図２】図１に示すディスプレイ内蔵型机の要部構成を示すブロック図である。
【図３】本発明の家具をテーブルに適用した例を示す斜視図である。
【図４】図１に示すディスプレイ内蔵型机の特徴的構成を備えた表示ユニット着脱部近傍部分を模式的に示し、（ａ）は斜視図であり、（ｂ）は断面図である。
【図５】図１に示すディスプレイ内蔵型机の照明器具（ライトテーブル）としての利用形態を示す斜視図である。
【図６】実施の形態２のディスプレイ内蔵型机の特徴的構成を備えた表示ユニット着脱部の近傍部分を模式的に示し、（ａ）は斜視図であり、（ｂ）は断面図である。
【図７】実施の形態３のディスプレイ内蔵型机の特徴的構成を備えた表示ユニット着脱部の近傍部分を模式的に示し、（ａ）は斜視図であり、（ｂ）は断面図である。
【図８】実施の形態４のディスプレイ内蔵型机を模式的に示し、（ａ）は斜視図であり、（ｂ）は照明ユニットの構成を示す斜視図である。
【図９】本発明の家具をブックシェルフに適用した例を示し、（ａ）は、全体構成を示す斜視図であり、（ｂ）は、表示ユニットを収納する棚部を拡大した断面図であり、（ｃ）は、（ｂ）のＡ部分を拡大した拡大断面図である。
【発明を実施するための形態】
【００１５】
〔実施の形態１〕
本発明に係るテーブルの実施の一形態について図１〜図６に基づいて説明すれば、以下のとおりである。ここでは、本発明の実施形態の一例として、ディスプレイ内蔵型机１について説明する。なお、ディスプレイ内蔵型机１は、本発明の家具の一例である。上記家具には、例えば、物体を載置することが可能な台（例えば、机、作業台及びテーブル）や、物体を収納するための棚（例えば、ブックシェルフ）が含まれる。
【００１６】
〔ディスプレイ内蔵型机１〕
図１は、ディスプレイ内蔵型机１において、机２から表示ユニット３を取り出した状態を示す斜視図である。図１に示すように、ディスプレイ内蔵型机１は、机（家具本体）２を備えている。そして、机２には、机２に対して着脱可能な表示ユニット３を収容するための表示ユニット着脱部２８が設けられている。
【００１７】
表示ユニット３は、タッチパネル操作を受け付ける入力・表示部である。図１に示す例では、机２は、表示ユニット３を１つ収納することが可能であるが、机２が備える表示ユニット３の個数は、特に限定されず、２以上の複数でもよい。
【００１８】
机２は、物体を載置可能な上面（載置部）２０２を有する天板（載置部）２ａおよび天板２ａを支える脚部２ｂを備えている。
【００１９】
天板２ａの内部には、表示ユニット３を保持するための表示ユニット着脱部（収納部、接続部）２８が形成されている。この表示ユニット着脱部２８は、表示ユニット３の表示画面を視認可能な状態で当該表示ユニット３を収納可能な中空の構造体（凹部）である。
【００２０】
天板２ａの一部は、透光性の部材である天板ガラス２０１によって形成されており、表示ユニット着脱部２８の上面の少なくとも一部は天板ガラス２０１によって形成されている。そのため、図１の矢印に示すように、表示ユニット３の表示画面を上にして表示ユニット着脱部２８に装着すると、天板ガラス２０１を通して上記表示画面をユーザが視認することが可能である。
【００２１】
天板ガラス２０１は、透光性の部材であればよく、同様の機能を有する部材を、ガラス以外の透光性材質を用いて形成してもよい。
【００２２】
机２と表示ユニット３とは、それぞれ無線通信装置を備え、双方向の情報通信を行うことができる。そのため、表示ユニット３が机２から取り出された状態においても、表示ユニット３は、その表示画面に表示する画像を示す画像データ（映像データ）を机２から受信することができる。
【００２３】
このように、ディスプレイ内蔵型机１は、物体を載置可能な上面２０２を有する天板２ａを有する机２を備えている。そして、天板２ａの内部には、表示ユニット３の表示画面を視認可能な状態で表示ユニット３を収納できる表示ユニット着脱部２８が形成されており、上面２０２の少なくとも一部は、天板ガラス２０１で形成されており、天板ガラス２０１を通して、表示ユニット３の表示画面が視認可能である。これにより、机２の上面２０２で作業をしながら、天板２ａの表示ユニット着脱部２８内の表示ユニット３の表示画面が視認可能な、表示ユニット３を備えた机２である、ディスプレイ内蔵型机１を得ることができる。
【００２４】
そして、表示ユニット３は机２に対して着脱可能となっている。このため、表示ユニット着脱部２８に収納された表示ユニット３の表示画面を視認するために、例えば上面２０２上に資料等を載置するためのスペース等、机２としての作業面の広さが制限されるときは、表示ユニット３を机２から取り外すことで、表示ユニット３の表示画面を視認可能であると共に、机２としての作業面の広さを確保することができる。
【００２５】
このように、ディスプレイ内蔵型机１によると、テーブルの上面２０２上での作業面が狭くなることによる不便を生じさせず、かつ、表示ユニット３の表示画面の視認が可能である。
【００２６】
次に、ディスプレイ内蔵型机１を構成する机２および表示ユニット３の要部について記載する。
【００２７】
〔ディスプレイ内蔵型机１の構成〕
（机２）
図２は、ディスプレイ内蔵型机１の要部構成を示すブロック図である。図２に示すように、机２は、受信部（通信装置）２１、送信部（通信装置）２２、記憶部２３、スピーカ２４、主制御部２５、電源部２６、表示ユニット検出部２７、表示ユニット着脱部（収納部）２８、および机内照明ユニット４（照射ユニット）を備えている。さらに主制御部２５には、表示ユニット制御部２５１が含まれている。
【００２８】
受信部２１は、表示ユニット３のタッチパネル３５に対するユーザの入力操作の位置を示すタッチパネル操作情報を表示ユニット３の送信部３１から受信し、表示ユニット制御部２５１に通知する。
【００２９】
送信部２２は、表示ユニット３の表示部３５１において表示する画像（静止画または動画）を示すデータ信号および表示部３５１を制御するための制御信号（例えば、クロック信号）を表示ユニット制御部２５１から取得し、これらの信号を表示ユニット３の受信部３２へ送信する。
【００３０】
なお、机２と表示ユニット３とは、通信可能に接続されていればよく、その通信方法は無線通信に限定されず、有線通信であってもよい。
【００３１】
記憶部２３は、各種の設定情報、および表示ユニット３の表示部３５１において表示される画像データ等を記憶する不揮発性の記憶装置である。
【００３２】
スピーカ２４は、画像データに付随する音声を主制御部２５から取得して出力する音声出力装置である。
【００３３】
主制御部２５は、机２が備える各部の機能を制御するものであり、表示ユニット制御部２５１を備えている。
【００３４】
表示ユニット制御部２５１は、上記タッチパネル操作情報が示す入力操作に基づいて、当該入力操作に対応する画像を示す画像データを記憶部２３から取得する。そして、表示ユニット制御部２５１は、当該画像を表示部３５１に表示するためのデータ信号および制御信号を生成し、送信部２２を介して表示ユニット３へ送信する。
【００３５】
なお、表示ユニット制御部２５１は、インターネット等の通信回線を介して、上記データ信号および制御信号を外部の装置（例えば、動画配信サーバ）から取得してもよい。また、放送を受信するためのチューナを机２に設け、当該チューナで受信したデータ信号および制御信号を表示ユニット３へ送信してもよい。
【００３６】
電源部２６は、机２に対して電力を供給するとともに、表示ユニット着脱部２８を介して表示ユニット３に電力を供給する。
【００３７】
表示ユニット着脱部２８は、表示ユニット３の机接続部３６と電気的に接続可能な接続端子を備えており、机２は、この接続端子を介して、表示ユニット３へ電力を供給することができる。
【００３８】
表示ユニット検出部２７は、表示ユニット着脱部２８に表示ユニット３が装着された場合に、その旨を示す表示ユニット装着情報を主制御部２５に通知する。主制御部２５は、表示ユニット３が表示ユニット着脱部２８に装着されている場合に、表示ユニット３へ送信する情報を、送信部２２ではなく、表示ユニット着脱部２８の接続端子を介して表示ユニット３へ送信してもよい。表示ユニット３から情報を受信する場合も同様である。
【００３９】
また、机内照明ユニット４は、表示ユニット着脱部２８に装着された表示ユニット３に対し光を照射するディスプレイ用光源として機能する。主制御部２５は、表示ユニット３が表示ユニット着脱部２８に装着されている場合に表示ユニット３に対し光を照射すべく点灯し、表示ユニット３が表示ユニット着脱部２８に脱着された場合に消灯するように机内照明ユニット４を制御する。机内照明ユニット４の具体的な構成については、後述する。
【００４０】
なお、図１において示した例では、本発明の机２の天板２ａは、床に対して平行な形状であり、このような天板２ａの内部に表示ユニット３を保持する構成である。しかし、机２における外形上の特徴（脚の数および形状、あるいは天板２ａの形状および大きさ）は、図１に示した例に限定されない。また、机２の材質についても特に限定されず、木材、金属、樹脂など、机２に適した材質を適宜組み合わせて（または単独で）用いればよい。
【００４１】
（表示ユニット３）
図２に示すように、表示ユニット３は、送信部（通信装置）３１、受信部（通信装置）３２、タッチパネル制御部３３、記憶部３４、タッチパネル３５、机接続部３６、充電部３７を備えている。さらにタッチパネル３５は、表示部３５１と操作入力部３５２とを備えている。
【００４２】
表示ユニット３は無線通信装置としての受信部３２を備え、机２に装着されている状態においても、机２から取り出された状態においても、机２から上記データ信号および制御信号を取得でき、当該データ信号が示す画像を表示部３５１に表示することができる。
【００４３】
受信部３２は、机２の送信部２２から送信された上記データ信号および制御信号を受信し、タッチパネル制御部３３へ送る。
【００４４】
タッチパネル制御部３３は、取得した制御信号を用いて、上記データ信号が示す画像をタッチパネル３５の表示部３５１に表示する。
【００４５】
タッチパネル３５は、ユーザによるタッチパネル操作を受け付けるユーザインターフェースであり、表示部３５１および操作入力部３５２を備えている。
【００４６】
表示部３５１は、例えばＬＣＤ（液晶ディスプレイ：Liquid Crystal Display）、ＰＤＰ（プラズマディスプレイ:Plasma Display Panel）、または有機ＥＬ（Organic LED）などの、薄型フラットパネルディスプレイ（Flat Panel Display）が好ましい。
【００４７】
操作入力部３５２は、非接触でのタッチ操作入力も受け付けることが可能なものであり、例えば静電容量方式の入力パネルである。静電容量方式のタッチパネルでは、透明導電膜がコーティングされた入力パネルにおける、指の接触（または近接）による静電容量の変化により入力位置を検出する。上記入力パネルとしての操作入力部３５２は、表示部３５１の表示画面の前面に配置される。
【００４８】
また、タッチパネル３５を光センサ液晶として実現してもよい。この場合、光センサ液晶が備える複数の光センサが操作入力部３５２として機能する。
【００４９】
なお、表示ユニット３が机２から取り外されたときに天板２ａに開口部が形成されないようにするために、机２の天板２ａには図１に示すように天板ガラス２０１が設けられている。従って、タッチパネル３５に対して、ユーザは直接触れて操作することができないため、タッチパネル３５としては、非接触での操作入力も受け付けるタッチパネルであることが望ましい。
【００５０】
しかし、タッチパネル３５に直接触れて操作することを前提とするならば、タッチパネル３５として、抵抗膜方式、超音波表面弾性波方式、赤外線走査方式など、その他の方式のタッチパネルを用いてもよい。
【００５１】
操作入力部３５２に対する入力操作の位置を示すタッチパネル操作情報は、タッチパネル制御部３３へ送信される。
【００５２】
タッチパネル制御部３３は、操作入力部３５２からタッチパネル操作情報を取得し、送信部３１へ送る。
【００５３】
無線通信装置としての送信部３１は、上記タッチパネル操作情報をタッチパネル制御部３３から取得し、机２の受信部２１へ送信する。
【００５４】
記憶部３４は、各種の設定情報、および表示部３５１において表示される画像データ等を記憶する不揮発性の記憶装置である。
【００５５】
机接続部３６（接続部）は、表示ユニット着脱部２８に表示ユニット３が装着されるときに、表示ユニット着脱部２８の接続端子と接続される、表示ユニット３の側のインターフェースである。机２と表示ユニット３とは、上記接続端子および机接続部３６を介して、電力供給、および各種情報の入出力を行うことができる。
【００５６】
机接続部３６を介して表示ユニット３が机２と連結しているとき、表示ユニット３は机２から電力供給を受ける。供給された電力は、表示ユニット３における画像の表示、操作入力、情報の送受信、記憶など、電力によって機能する装置に対して供給される。また、机２から供給された電力の一部は、充電部３７に蓄積される。表示ユニット３が机２に装着されていないときには、充電部３７の電力が、表示ユニット３の各装置に対して供給される。
【００５７】
（変更例１）
図２に示す例では、上記データ信号および制御信号は、机２から表示ユニット３へ送信される構成となっているが、表示ユニット３が自ら上記データ信号および制御信号を生成または取得する構成としてもよい。
【００５８】
すなわち、表示ユニット３の記憶部３４に画像データが格納されており、表示ユニット３は、当該画像データを用いて表示部３５１に画像を表示してもよい。または、表示ユニット３は、インターネット等の通信回線を介して、上記データ信号および制御信号を外部の装置から取得してもよい。また、放送を受信するためのチューナを表示ユニット３に設け、当該チューナで受信したデータ信号および制御信号を用いて表示部３５１に画像を表示してもよい。
【００５９】
この構成では、表示ユニット３は、机２とは独立した端末装置として機能することができる。この構成においても、電力については、机２から供給可能であることが好ましい。表示ユニット３は充電部（バッテリー）３７を備えているが、蓄電容量には限りがあるため、長時間使用することを考慮すれば、机２から電力の供給を受けることが好ましい。
【００６０】
（変更例２）
上述した実施形態では、応用例として、本発明の台を机２に適用した例を用いて説明した。しかし、本発明の台は、これに限定されるものではなく、例えばテーブルにも適用することができる。図３は、本発明の台をテーブルに適用した例を示す斜視図である。
【００６１】
図３に示すように、ディスプレイ内蔵型テーブル１'は、テーブル（家具本体）２'を備えている。そして、テーブル２'には、テーブル２'に対して着脱可能な表示ユニット３を収容するための表示ユニット着脱部が設けられている。
【００６２】
テーブル２'は、物体を載置可能な上面（載置部）を有する天板２'ａおよび天板２'ａを支える脚部２'ｂを備えている。図３に示す例では、テーブル２'は、表示ユニット３を４つ収納することが可能であるが、テーブル２'が備える表示ユニット３の個数は、特に限定されず、４以外の複数でもよい。
【００６３】
（本発明の特徴的構成：照明ユニットを備えた机２）
ところで、図１に示されるディスプレイ内蔵型机１において、机２に着脱可能な表示ユニット３は、モバイル（可搬）性を向上させるために、軽量化及び薄型化が求められている。よって、ディスプレイ内蔵型机１には、表示ユニット３の軽量化及び薄型化という課題が残されている。本発明は、上記の課題を解決するために、ディスプレイ内蔵型机１において、表示ユニット３に対し光を照射する機能を机２に持たせたことを技術的思想としている。
【００６４】
バックライトユニット等の照明ユニットを備えた構成では、光源であるＬＥＤから発する熱を放熱する放熱機構が必要となる。放熱機構は、熱を伝達する部材として金属部材を備えている。それゆえ、上記の構成によれば、机２が照明機能を持つ、すなわち、照明ユニットを備えているので、表示ユニット３は、照明ユニットを備えていない構成となる。それゆえ、表示ユニット３は、照明ユニット及び放熱機構の分だけ軽量化・薄型化する。このように、机２が照明ユニットを備えた構成とすることによって、表示ユニットを約５０％程度軽量化することができる。その結果、表示ユニットのモバイル（可搬）性を向上させることができる。
【００６５】
また、ディスプレイ内蔵型机１の利用形態として、例えば、一方の場所（例えば自宅）に机２を設置し、他方の場所（例えば学校）に机２を設置し、一方の場所及び他方の場所に設置された机２において、装着する表示ユニット３を共通化するという利用形態が挙げられる。このような利用形態において、一方の場所に設置した机２と他方の場所に設置した机２とを同一仕様とすることによって、ユビキタス性が向上する。
【００６６】
以下、ディスプレイ内蔵型机１の特徴的構成について、詳述する。図４は、ディスプレイ内蔵型机１の特徴的構成を備えた表示ユニット着脱部２８の近傍部分を模式的に示し、図４の（ａ）は斜視図であり、図４の（ｂ）は断面図である。
【００６７】
図４に示されるように、ディスプレイ内蔵型机１において、台本体である机２は、表示ユニット着脱部２８に収容された表示ユニット３に対して光を照射する机内照明ユニット４を備えている。
【００６８】
表示ユニット３は、液晶モジュール３０１（表示モジュール）と、液晶モジュール３０１の上下面を狭持しつつ収容する透明筐体３０２と、液晶モジュール３０１を制御する回路部３０３と、ベゼル３０４とを備えている。液晶モジュール３０１は、半透過型の液晶モジュールである。
【００６９】
また、机内照明ユニット４は、エッジライト型のバックライトであり、具体的には、ＬＥＤ光源４０１と、導光板４０２と、反射シート４０３とを備えている。
【００７０】
導光板４０２は、ＬＥＤ光源４０１から出射した光を表示ユニット３側に導くためのものであり、平板状である。ＬＥＤ光源４０１は、図４に示されるように、導光板４０２の端部に設けられている。これによって、ＬＥＤ光源４０１からの光は、導光板４０２における一方の端面４０２ａに入射し、他方の端面４０２ｂへ向かって導光板４０２内部を伝搬しつつ、導光板４０２の出射面４０２ｄから出射する。
【００７１】
ここで、導光板４０２内部を伝搬する光は、出射面４０２ｄと反対側の底面４０２ｃからも出射する。しかし、導光板４０２の底面４０２ｃには反射シート４０３が配置されている。この反射シート４０３は、導光板４０２からもれ出た光を反射し、導光板４０２に戻すためのものである。それゆえ、底面４０２ｃから出射した光は反射シート４０３によって導光板４０２へ再度入射することになる。このため、ＬＥＤ光源４０１からの出射光は、導光板４０２の端面４０２ａに入射すると、ほとんどの光成分が出射面４０２ｄを介して机内照明ユニット４から出射する。
【００７２】
机内照明ユニット４から出射した光は、表示ユニット着脱部２８内に収容された表示ユニット３に入射する。そして、表示ユニット３において、液晶モジュール３０１の光透過率を部分的に変化させることによって、表示画面に所望の画像が表示されることとなる。
【００７３】
また、表示ユニット着脱部２８には、ガイドレール２８１（ガイド部材）が設けられている。このガイドレール２８１は、机内照明ユニット４の照射位置まで表示ユニット３を案内する部材である。ここで「机内照明ユニット４の照射位置」は、エッジライト型のバックライトである場合、平面視において導光板４０２と表示ユニットの液晶モジュール３０１とが重なる位置を意味する。これによって、表示ユニット３は、ガイドレール２８１に沿って、表示ユニット着脱部２８に挿入または抜き差しされることになり、表示ユニット着脱部２８内での表示ユニット３の位置安定性が確保される。その結果、表示ユニット３を安定して机内照明ユニット４の照射位置に配置することができる。
【００７４】
（ディスプレイ内蔵型机１の照明器具（ライトテーブル）としての利用）
上述したように、ディスプレイ内蔵型机１は、表示ユニット３の表示画面を視聴するという利用が可能である。この利用に加え、ディスプレイ内蔵型机１は、図４に示される導光板４０２の出射面４０２ｄに光学シートを設けることによって、照明器具（すなわち、ライトテーブル）として利用することが可能である（図５参照）。光学シート２１ａは、机内照明ユニット４からの光を効率的に天板ガラス２０１から出射するためのシートであり、例えば、拡散シート、プリズムシートから選択されるシートがこれに該当する。
【００７５】
また、ディスプレイ内蔵型机１を照明器具（ライトテーブル）として利用する場合、机２に机内照明ユニット４の点灯及び消灯を切り替える手動スイッチが設けられていることが好ましい。この手動スイッチは、上述した主制御部２５による机内照明ユニット４の点灯及び消灯の制御と独立して、机内照明ユニット４の点灯及び消灯を切り替えるものである。
【００７６】
また、ディスプレイ内蔵型机１では、表示ユニット３として、屋外等の環境光（外光）に有利な半透過型の液晶モジュール３０１を備えた表示ユニットを使用している。それゆえ、表示ユニット３と机２とを装着した状態で画面の明るい表示を実現できるとともに、表示ユニット３を机２から外し野外で表示ユニット３を屋外で使用した場合でも、表示画面の視認が可能になる。
【００７７】
〔実施の形態２〕
本発明の他の実施形態について図６に基づいて説明すれば、以下のとおりである。図６は、本実施形態のディスプレイ内蔵型机１の特徴的構成を備えた表示ユニット着脱部２８の近傍部分を模式的に示し、図６の（ａ）は斜視図であり、図６の（ｂ）は断面図である。なお、実施の形態１と同様の部材に関しては、同じ符号を付し、その説明を省略する。
【００７８】
実施の形態１のディスプレイ内蔵型机１において、机内照明ユニット４は、エッジライト型のバックライトであった。一方、本実施形態のディスプレイ内蔵型机１において、机内照明ユニット４は、直下型のバックライトである。
【００７９】
図６に示されるように、机内照明ユニット４は、ＬＥＤ基板４０４と、拡散板４０５とを備えている。表示ユニット着脱部２８に収容された表示ユニット３に近い順に、拡散板４０５、ＬＥＤ基板４０４が重なって配置している。ＬＥＤ基板４０４は、表示ユニット３及び拡散板４０５と対向する基板面にＬＥＤ光源４０４ａが設けられている。
【００８０】
表示ユニット３は、ガイドレール２８１によって、机内照明ユニット４の照射位置、すなわち、平面視において拡散板４０５及びＬＥＤ基板４０４と重なる位置に配置される。
【００８１】
机内照明ユニット４において、ＬＥＤ光源４０４ａからの光は、拡散板４０５に入射し、拡散板４０５の出射面４０５ａを介して、拡散して机内照明ユニット４から出射する。机内照明ユニット４から出射した光は、表示ユニット着脱部２８内に収容された表示ユニット３に入射する。そして、表示ユニット３において、液晶モジュール３０１の光透過率を部分的に変化させることによって、表示画面に所望の画像が表示されることとなる。
【００８２】
また、本実施形態のディスプレイ内蔵型机１において、机内照明ユニット４は、机２から取り外し可能になっている。これによって、机内照明ユニット４のメンテナンス（交換）が可能になるので、ディスプレイ内蔵型机１を永く使用することができる。
【００８３】
〔実施の形態３〕
本発明のさらに他の実施形態について図７に基づいて説明すれば、以下のとおりである。図７は、本実施形態のディスプレイ内蔵型机１の特徴的構成を備えた表示ユニット着脱部２８の近傍部分を模式的に示し、図７の（ａ）は斜視図であり、図７の（ｂ）は断面図である。なお、実施の形態１と同様の部材に関しては、同じ符号を付し、その説明を省略する。
【００８４】
実施の形態１のディスプレイ内蔵型机１において、表示ユニット３は、半透過型の液晶モジュール３０１を備えていた。一方、本実施形態のディスプレイ内蔵型机１において、表示ユニット３'は、反射型の液晶モジュール３０１'を備えている。
【００８５】
また、図７に示されるように、机内照明ユニット４は、反射型の液晶モジュール３０１'側へ光を照射するフロントライトユニットであり、表示ユニット３'の上側で重なるように配置されている。机内照明ユニット４は、ＬＥＤ光源４０１と、フロントライト型導光板４０６とを備えている。
【００８６】
フロントライト型導光板４０６は、ＬＥＤ光源４０１から出射した光を表示ユニット３'側に導くためのものであり、平板状である。ＬＥＤ光源４０１は、図７に示されるように、フロントライト型導光板４０６の端部に設けられている。これによって、ＬＥＤ光源４０１からの光は、フロントライト型導光板４０６における一方の端面４０６ａに入射し、他方の端面４０６ｂへ向かってフロントライト型導光板４０６内部を伝搬しつつ、フロントライト型導光板４０６の出射面４０６ｄから出射する。
【００８７】
机内照明ユニット４から出射した光は、表示ユニット着脱部２８内に収容された表示ユニット３'に入射する。そして、液晶モジュール３０１'を透過する。ここで、図７では図示していないが、液晶モジュール３０１'における机内照明ユニット４と反対側の面には反射シートが設けられている。それゆえ、液晶モジュール３０１'を透過した光は、この反射シートによって反射し、再度机内照明ユニット４に入射し、フロントライト型導光板４０６の面４０６ｃから出射する。表示ユニット３'において、液晶モジュール３０１'の光透過率を部分的に変化させることによって、表示画面に所望の画像が表示されることとなる。
【００８８】
ここで、表示ユニット３'の表示画面のコントラストの悪化を防止するため、フロントライト型導光板４０６の面４０６ｃには、フロントライト型導光板４０６内部を伝搬する光を表示ユニット３'側の出射面４０６ｄから効率よく取り出すための処理が施されている。
【００８９】
本実施形態の本実施形態のディスプレイ内蔵型机１によれば、表示ユニット３'は、反射型の液晶モジュール３０１'を備えているので、屋外で使用した場合、さらに低消費電力化が図れる。
【００９０】
〔実施の形態４〕
本発明のさらに他の実施形態について図８に基づいて説明すれば、以下のとおりである。図８は、本実施形態のディスプレイ内蔵型机１を模式的に示し、図８の（ａ）は斜視図であり、図８の（ｂ）は照明ユニットの構成を示す斜視図である。なお、実施の形態１と同様の部材に関しては、同じ符号を付し、その説明を省略する。
【００９１】
図８に示されるように、本実施形態のディスプレイ内蔵型机１において、机内照明ユニット４''は、エッジライト型のバックライトユニットであり、ＬＥＤ光源４０１と、導光板４０２と、光ファイバ４０７と、光学シート４０８とを備えている。光ファイバ４０７は、ＬＥＤ光源４０１及び導光板４０２の間を接続する。導光板４０２は、天板２ａに配置されている。また、ＬＥＤ光源４０１は、脚部２ｂ１及び２ｂ２それぞれに配置されている。脚部２ｂ１及び２ｂ２は、机２における４つの脚部のうち表示ユニット着脱部２８と反対側にある。また、光ファイバ４０７におけるＬＥＤ光源４０１と反対側の端面４０７ａは、導光板４０２の側端面と対向するように配置されている。
【００９２】
光学シート４０８は、導光板４０２からの出射光を効率的に天板ガラスから出射するためのシートであり、例えば、拡散シート、プリズムシートから選択されるシートがこれに該当する。
【００９３】
ＬＥＤ光源４０１からの光は、光ファイバ４０７内を伝搬し、端面４０７ａから出射する。そして、端面４０７ａから出射した光は、導光板４０２の側端面に入射し、その反対側の側端面へ向かって導光板４０２内部を伝搬しつつ、導光板４０２の出射面４０２ｄから出射する。出射面４０２ｄから出射した光は、光学シート４０８を通過して、表示ユニットへ入射する。
【００９４】
本実施形態のディスプレイ内蔵型机１によれば、ＬＥＤ光源４０１からの光は、光ファイバ４０７を介して、導光板４０２に入射する。このため、光ファイバ４０７の引き回しに応じてＬＥＤ光源４０１の位置を設定することができる。その結果、ＬＥＤ光源４０１の配置の自由度が増す。図８に示す構成では、熱源となるＬＥＤ光源４０１が天板２ａから離れた脚部２ｂ１及び２ｂ２それぞれに配置されているので、熱が机２に籠りにくい。
【００９５】
なお、机２におけるＬＥＤ光源４０１が配置される部分は、導光板４０２が配置されている天板２ａ以外の部分であればよい。例えば、ＬＥＤ光源４０１は、机２における４つの脚部のうちどの脚部に配置されていてもよい。
【００９６】
図８に示す構成では、机内照明ユニット４''は、エッジライト型のバックライトユニットであった。しかし、本実施形態のディスプレイ内蔵型机１においては、机内照明ユニット４''は、エッジライト型のバックライトユニットに限定されず、光ファイバ４０７を利用可能な構成であればよい。例えば、机内照明ユニット４''は、直下型のバックライトユニットであってもよい。
【００９７】
〔応用例〕
なお、本発明の台は、例えば以下のような応用例に適用することが可能である。上述した実施形態では、応用例として、机、テーブルに適用した例を用いて説明したが、これに限定されるものではなく、例えば、キッチンシェルフ、ブックシェルフ等にも適用することができる。
【００９８】
図９は、本発明の台をブックシェルフに適用した例を示し、図９の（ａ）は、全体構成を示す斜視図であり、図９の（ｂ）は、表示ユニットを収納する棚部を拡大した断面図であり、図９の（ｃ）は、図９の（ｂ）のＡ部分を拡大した拡大断面図である。
【００９９】
図９に示すように、ディスプレイ内蔵型ブックシェルフ１''は、ブックシェルフ本体２''を備えている。そして、ブックシェルフ本体２''には、ブックシェルフ本体２''に対して着脱可能な表示ユニット３を収容するための棚部２''ａ（収容部）が設けられている。ブックシェルフ本体２''には、棚部２''ａを支持する軸部２''ｂが設けられている。棚部２''ａは、表示ユニット３の搭載部が軸部２''ｂに対し回動可能になっている。
【０１００】
また、図９の（ｂ）に示されるように、ブックシェルフ本体２''は、各棚部２''ａに収容された表示ユニット３に対して光を照射する照明ユニットを備えている。図９に示す構成では、照明ユニットは、エッジライト型のバックライトユニットである。具体的には、図９の（ｃ）に示すように、照明ユニットは、ＬＥＤ光源４０１と、導光板４０２と、拡散シート４０９と、透明樹脂からなる樹脂シート４１０と、を備えている。ＬＥＤ光源４０１は、導光板４０２の側面に光を照射する。また、導光板４０２、拡散シート４０９、及び透明シート４１０は、収納される表示ユニット３から近い順に、樹脂シート４１０、拡散シート４０９、導光板４０２という順番で配置されている。
【０１０１】
また、棚部２''ａには、机内照明ユニット４の照射位置まで表示ユニット３を案内するガイドレール２８１（ガイド部材）が設けられている。ディスプレイ内蔵型ブックシェルフ１''では、表示ユニット３をガイドレール２８１に差し込み、上下にスライドさせて着脱するようになっている。
【０１０２】
なお、上述の実施の形態では、実施の形態２のディスプレイ内蔵型机１について、「机内照明ユニット４が机２から取り外し可能である」構成であることを説明した。しかし、「机内照明ユニット４が机２から取り外し可能である」構成は、実施の形態２のディスプレイ内蔵型机１に限定されず、一般的な家具に適用することができる。例えば、実施の形態１，３，４のディスプレイ内蔵型机１にも適用可能である。
【０１０３】
〔まとめ〕
本発明の一態様に係る台は、以上のように、台本体に対して着脱可能な表示ユニットを、その表示画面が視認可能な状態で収納できる収納部が設けられた台であって、上記表示ユニットは、半透過型または反射型の表示モジュールを備え、上記台本体は、上記収納部に収容された表示ユニットに対して光を照射する照射ユニットを備えている。
【０１０４】
上記の構成によれば、表示ユニットの表示画面（タッチパネル３５）をユーザが視認可能な位置に当該表示ユニットを配置することができ、家具（ディスプレイ内蔵型机１，ディスプレイ内蔵型テーブル１'）としての作業面（上面２０２）の広さを確保することができる。
【０１０５】
ところで、上記家具において、家具本体（机２）に着脱可能な表示ユニットは、モバイル（可搬）性を向上させるために、軽量化及び薄型化が求められている。よって、上記家具には、表示ユニットの軽量化及び薄型化という課題が残されている。
【０１０６】
そこで、上記の構成によれば、上記表示ユニットは、半透過型または反射型の表示モジュール（液晶モジュール３０１，３０１'）を備え、上記家具本体は、上記収納部（表示ユニット着脱部２８）に収容された表示ユニットに対して光を照射する照射ユニット（机内照明ユニット４）を備えている。すなわち、家具本体が照明機能を持つ、すなわち、照明ユニットを備えているので、表示ユニットは、照明ユニットを備えていない構成となる。それゆえ、表示ユニット３は、照明ユニット及びその放熱機構の分だけ軽量化・薄型化する。
【０１０７】
このように、上記の構成によれば、家具としての作業面の広さを確保することができるとともに、家具本体に対し着脱可能な表示ユニットを軽量化することができ表示ユニットのモバイル（可搬）性を向上させることができる。
【０１０８】
さらに、本発明の一態様に係る家具は、上記収納部には、上記照射ユニットの照射位置まで上記表示ユニットを案内するガイド部材が設けられていることが好ましい。
【０１０９】
上記の構成によれば、上記収納部には、上記照射ユニットの照射位置まで上記表示ユニットを案内するガイド部材（ガイドレール２８１）が設けられているので、表示ユニットは、上記ガイド部材に沿って、上記収納部に挿入または抜き差しされることになり、収納部内での表示モジュールの位置安定性が確保される。その結果、上記の構成によれば、表示ユニットを安定して照明ユニットの照射位置に配置することができる。
【０１１０】
さらに、本発明の一態様に係る家具では、上記照射ユニットは、エッジライト型のバックライトユニットであってもよい。また、本発明の一態様に係る家具では、上記照射ユニットは、直下型のバックライトユニットであってもよい。
【０１１１】
上記の構成によれば、上記照射ユニットを、エッジライト型のバックライトユニット、または直下型のバックライトユニットとすることによって、表示ユニットとして、屋外等の環境光（外光）に有利な半透過型の表示モジュールを備えた表示ユニットを使用することができる。それゆえ、表示ユニットと家具本体とを装着した状態で画面の明るい表示を実現できるとともに、表示ユニットを家具本体から外し野外で表示ユニットを使用した場合でも、表示画面の視認が可能になる。
【０１１２】
また、本発明の一態様に係る家具では、上記表示ユニットは、反射型の表示モジュールを備え、上記照射ユニットは、フロントライトユニットであってもよい。上記の構成によれば、表示ユニットは、反射型の表示モジュールを備えているので、屋外で使用した場合、さらに低消費電力化が図れる。
【０１１３】
さらに、本発明の一態様に係る家具では、上記照射ユニットは、上記表示ユニットが上記収納部に収容されていない状態でも光を出射するようになっていることが好ましい。これによって、本発明の家具を照明器具（ライトテーブル）として使用することができる。
【０１１４】
さらに、本発明の一態様に係る家具では、上記家具本体は、物体を載置可能な載置部を有し、上記照射ユニットは、ＬＥＤ光源と、上記載置部に配置された導光板と、上記ＬＥＤ光源及び上記導光板の間を接続する光ファイバと、を備え、上記ＬＥＤ光源は、上記載置部以外の部分に配置されていることが好ましい。
【０１１５】
上記の構成によれば、ＬＥＤ光源からの光は、光ファイバを介して、導光板に入射する。このため、光ファイバの引き回しに応じてＬＥＤ光源の位置を設定することができる。その結果、上記の構成によれば、ＬＥＤ光源の配置の自由度が増す。また、例えばＬＥＤ光源を載置部（天板２ａ）以外の脚部に配置した場合、熱源となるＬＥＤ光源が載置部から離れた脚部それぞれに配置されているので、熱が家具本体に籠りにくい。
【０１１６】
さらに、本発明は、ブックシェルフまたは棚に適用することが可能である。すなわち、本発明の一態様に係る家具は、ブックシェルフまたは棚であってもよい。
【０１１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１８】
本発明は、表示装置を備えた、テーブル、机、ブックシェルフ等といった家具に利用することができる。
【符号の説明】
【０１１９】
１        ディスプレイ内臓型机（家具）
１'       ディスプレイ内臓型テーブル（家具）
１''      ディスプレイ内蔵型ブックシェルフ（家具）
２        机（家具本体）
２'       テーブル（家具本体）
２''      ブックシェルフ本体（家具本体）
２''ａ    棚部（収容部）
３        表示ユニット
３０１    液晶モジュール（表示モジュール）
３０１'   液晶モジュール（表示モジュール）
２ａ      天板（載置部）
２１      受信部（通信装置）
２２      送信部（通信装置）
２８      表示ユニット着脱部（収納部）
２８１    ガイドレール（ガイド部材）
３１      送信部（通信装置）
３２      受信部（通信装置）
３５      タッチパネル（表示画面）
３６      机接続部（接続部）
４        机内照明ユニット（照射ユニット）
４０１    ＬＥＤ光源
４０２    導光板
４０４    ＬＥＤ基板
４０４ａ  ＬＥＤ光源
４０６    フロントライト型導光板
４０７    光ファイバ
【図１】
2014050548.tif 000003
【図２】
2014050548.tif 000004
【図３】
2014050548.tif 000005
【図４】
2014050548.tif 000006
【図５】
2014050548.tif 000007
【図６】
2014050548.tif 000008
【図７】
2014050548.tif 000009
【図８】
2014050548.tif 000010
【図９】
2014050548.tif 000011